(57)【要約】【課題】  ゴルフボールの衝撃を良好に吸収するとともに、簡単に組み立てたり、片づけたりすることができ、室内や屋内でも十分な練習を行うことができるゴルフ練習具を提供する。【解決手段】  ゴルフボール５０２の打撃方向を囲むように複数の衝撃吸収ボード１１０を配置し、スタンド１２０，１３０及びキャップ１４０，１５０によって着脱自在に連結する構造とすることで、簡単に組み立てたり、片づけたりすることができる。クラブ５０４で撃ったゴルフボール５０２は、衝撃吸収ボード１１０の衝撃吸収材１１４にめり込むようになり、その後落下する。ゴルフボール５０２の打撃方向がずれた場合は、側面の衝撃吸収ボード１１０に当たる。衝撃吸収ボード１１０を、起立板１１２の表面に衝撃吸収材１１４を設けた構造とすることで、衝撃吸収効果の高い材料を使用することができる。【選択図】図１
2019122701.tif 000002
【特許請求の範囲】
【請求項１】
プレーヤーが打撃したゴルフボールの飛翔を一定の範囲内に制限するゴルフ練習具であって、
衝撃吸収ボードを、前記ゴルフボールの打撃方向を囲むように複数配置するとともに、
前記衝撃吸収ボードの下側の隅を、スタンドで起立保持して連結し、
前記衝撃吸収ボードの上側の隅を、キャップで保持して連結した、
ことを特徴とするゴルフ練習具。
【請求項２】
前記衝撃吸収ボードを、起立板に衝撃吸収材を設けた構造としたことを特徴とする請求項１記載のゴルフ練習具。
【請求項３】
前記スタンドが、前記衝撃吸収ボードを着脱自在に挟み込む一対の挟持片を備えており、
前記キャップが、前記衝撃吸収ボードを着脱自在に挟み込む開口を備えていることを特徴とする請求項１又は２記載のゴルフ練習具。
【請求項４】
前記衝撃吸収ボードによって囲まれた領域内にマットを敷設したことを特徴とする請求項１〜３のいずれか一項に記載のゴルフ練習具。
【発明の詳細な説明】
【技術分野】
【０００１】
本発明は、プレーヤーが打撃したゴルフボールの飛翔を一定の範囲内に制限するゴルフ練習具に関し、例えば室内におけるアプローチやストロークなどの練習に好適なゴルフ練習具の改良に関する。
【背景技術】
【０００２】
従来のゴルフ練習具としては、例えば、下記特許文献１記載の「室内用ゴルフ練習装置」がある。これは、打撃をした際に、ゴルフボ−ルが天井，壁，窓などに当る危険性を防ぐことを目的としたもので、打球受けネット本体，ボ−ル収納受け皿，打球遮断ネットカーテン，打球台を順に配置するとともに、前記打球受けネット本体を金属製支持枠とネットにより構成したもので、ボールの補足・消音がネットによって行われるようになっている。
【先行技術文献】
【特許文献】
【０００３】
【特許文献１】特開2004-65627号公報
【発明の概要】
【発明が解決しようとする課題】
【０００４】
しかしながら、上述した背景技術では、装置全体が大変大掛かりで、設置に手間がかかる。ゴルフの練習といっても様々であり、簡単に設置して、簡単に片づけることができるものがあると好都合である。
【０００５】
本発明は、以上のような点に着目したもので、ゴルフボールの衝撃を良好に吸収するとともに、簡単に組み立てたり、片づけたりすることができ、室内や屋内でも十分な練習を行うことができるゴルフ練習具を提供することを、その目的とする。
【課題を解決するための手段】
【０００６】
本発明は、プレーヤーが打撃したゴルフボールの飛翔を一定の範囲内に制限するゴルフ練習具であって、衝撃吸収ボードを、前記ゴルフボールの打撃方向を囲むように複数配置するとともに、前記衝撃吸収ボードの下側の隅を、スタンドで起立保持して連結し、前記衝撃吸収ボードの上側の隅を、キャップで保持して連結した、ことを特徴とする。
【０００７】
主要な形態の一つによれば、前記衝撃吸収ボードを、起立板に衝撃吸収材を設けた構造としたことを特徴とする。他の形態によれば、前記スタンドが、前記衝撃吸収ボードを着脱自在に挟み込む一対の挟持片を備えており、前記キャップが、前記衝撃吸収ボードを着脱自在に挟み込む開口を備えていることを特徴とする。更に他の形態によれば、前記衝撃吸収ボードによって囲まれた領域内にマットを敷設したことを特徴とする。本発明の前記及び他の目的，特徴，利点は、以下の詳細な説明及び添付図面から明瞭になろう。
【発明の効果】
【０００８】
本発明によれば、起立板の表面に衝撃吸収材を設けた構造の衝撃吸収ボードを、スタンド及びキャップによって、ゴルフボールの打撃方向を囲むように複数配置して連結する構造としたので、ゴルフボールの衝撃を良好に吸収するとともに、簡単に組み立てたり、片づけたりすることができる。
【図面の簡単な説明】
【０００９】
【図１】本発明のゴルフ練習具の一実施例を示す斜視図である。
【図２】前記実施例のゴルフ練習具による練習の様子を示す図である。
【図３】本発明のゴルフ練習具の他の実施例の主要部を示す平面図である。
【発明を実施するための形態】
【００１０】
以下、本発明を実施するための最良の形態を、実施例に基づいて詳細に説明する。
【実施例１】
【００１１】
図１には、本発明のゴルフ練習具の一実施例が示されている。同図において、ゴルフ練習具１００は、衝撃吸収ボード１１０を、プレーヤーを中心として略コ字状に配置した構成となっており、衝撃吸収ボード１１０は、その下側の両隅（両端）がスタンド１２０，１３０によって保持されており、上側の両隅はキャップ１４０，１５０によって保持されて、衝撃吸収ボード１１０が連結されている。
【００１２】
これらのうち、衝撃吸収ボード１１０は、起立板１１２の表面に衝撃吸収材１１４を積層し、例えば接着剤を使用して貼り付けた構造となっている。衝撃吸収材１１４としては、ウレタンなど、各種の公知のものを使用するが、衝撃吸収の程度が高いと、衝撃吸収材１１４のみでは自立できない。そこで、本実施例では、起立板１１２に衝撃吸収材１１４を設ける構造としている。このように、起立板１１２を使用することで、強い衝撃吸収力を有する材料を使用することができる。
【００１３】
衝撃吸収ボード１１０の幅や高さは、必要応じて適宜設定してよいが、例えば、幅５００ｍｍ〜１０００ｍｍ，高さ２００ｍｍ〜５００ｍｍ程度とする。幅や高さをあまり大きくすると、かさばって運ぶのに手数がかかるようになる。また、幅や高さをあまり小さくすると、部品点数が増えて組み立てに時間を要したり、ゴルフボールが外に飛び出してしまうといった不都合がある。組み立てた状態での奥行き（図３における横方向の長さ）は、２０００ｍｍ〜５０００ｍｍ，横幅（図３における縦方向の長さ）は、５００ｍｍ〜２０００ｍｍ程度とする。
【００１４】
次に、スタンド１２０は、ベース１２２上に一対の挟持片１２４が適宜間隔で立設された構造となっており、これらに前記衝撃吸収ボード１１０を着脱自在に挟み込むようになっている。衝撃吸収ボード１１０が直列に隣接している部位では、隣接する衝撃吸収ボード１１０の下側の隅をそれぞれ挟持片１２４で挟み込んで保持するようにする。スタンド１３０は、コーナー部位に使用するもので、ベース１３２上に略Ｌ字状の一対の挟持片１３４が適宜の間隔で立設された構造となっている。コーナー部位においては、衝撃吸収ボード１１０が交わることから、それらの下側の隅をそれぞれＬ字状の挟持片１３４で挟み込んで保持するようにする。
【００１５】
次に、キャップ１４０は、Ｕ字管のような形状となっており、衝撃吸収ボード１１０が隣接している部位において、開口１４２に前記衝撃吸収ボード１１０挿入し、着脱自在に挟み込んで保持するようになっている。衝撃吸収ボード１１０が隣接している部位では、隣接する衝撃吸収ボード１１０の下側は、スタンド１２０で連結固定されているが、上側をキャップ１４０で連結固定するようにしている。キャップ１５０は、コーナー部位において隣接する衝撃吸収ボード１１０を固定するためのもので、全体が略Ｌ字状に屈曲しており、開口１５２も略Ｌ字状となっている。
【００１６】
以上のように、
ａ，衝撃吸収ボード１１０が直列に連続する部位では、下側の隅がスタンド１２０で保持されており、上側の隅がキャップ１４０で保持されている。
ｂ，衝撃吸収ボード１１０が交わるコーナー部位では、下側の隅がスタンド１３０で保持されており、上側の隅がキャップ１５０で保持されている。
ｃ，端に位置する衝撃吸収ボード１１０の露出する端部の下側の隅も、スタンド１２０で保持されている。
【００１７】
図２には、以上のようなゴルフ練習具１００を組み立てて練習する様子が示されている。衝撃吸収ボード１１０の設置枚数は必要に応じて増減してよいが、図示のようなプレーヤーが右利きの場合は、左側の設置枚数を少なくするとよい。左利きの場合は、逆に、右側の設置枚数を少なくする（図３(A)参照）。もちろん、左右同数とすることを妨げるものではない。図示のように、複数の衝撃吸収ボード１１０を、スタンド１２０，１３０及びキャップ１４０，１５０によって連結することで、全体が一体となった構造物となり、十分な安定性が確保できる。
【００１８】
衝撃吸収ボード１１０で囲まれた打撃領域内には、必要に応じて建物の床面を傷つけないためのマット５００を敷くようにする。プレーヤーは、マット５００上にゴルフボール５０２を置き、クラブ５０４を使用して打撃練習を行う。このとき、クラブ５０４で撃ったゴルフボール５０２は、正面の衝撃吸収ボード１１０の衝撃吸収材１１４に当たって落下する。ゴルフボール５０２の打撃方向がずれた場合は、側面の衝撃吸収ボード１１０に当たって反射し、その後落下するか、場合によっては正面の衝撃吸収ボード１１０の方向に飛んで落下する。
【００１９】
このように、本実施例によれば、
ａ，ゴルフボール５０２の打撃方向を囲むように複数の衝撃吸収ボード１１０を配置し、スタンド１２０，１３０及びキャップ１４０，１５０によって着脱自在に連結する構造としたので、簡単に組み立てたり、片づけたりすることができる。
ｂ，衝撃吸収ボード１１０を、起立板１１２の表面に衝撃吸収材１１４を設けた構造としたので、衝撃吸収効果の高い材料を使用して、ゴルフボールの衝撃を良好に吸収することができ、室内・屋内でも十分な練習を行うことができる。
【実施例２】
【００２０】
次に、図３を参照しながら、本発明の他の実施例を説明する。同図(A)のゴルフ練習具１０２は、左利きの場合の設置例である。この例では、正面側に２枚の衝撃吸収ボード１１０が設けられている。同図(B)のゴルフ練習具１０４は、コーナー部分を斜めにしたもので、衝撃吸収ボード１１０よりも長さが小さい衝撃吸収ボード２１０を、略１３５度の角度で接合した例である。スタンド（図示せず）及びキャップ２５０は、いずれも１３５度の角度で衝撃吸収ボード２１０を保持して連結するように設定されている。同図(C)のゴルフ練習具１０６は、円弧状の衝撃吸収ボード３１０を接合した例である。
【００２１】
なお、本発明は、上述した実施例に限定されるものではなく、本発明の要旨を逸脱しない範囲内において種々変更を加え得ることができる。例えば、以下のものも含まれる。
(1)本発明は、いわゆるアプローチやストロークの練習に好適であるが、図３に示すように、カップ５１０をマット５００に設けて、パターの練習を行うようにしてもよい。
(2)前記実施例で示した衝撃吸収ボードは長方形であるが、正方形その他の形状とすることを妨げるものではない。ゴルフボールの打撃方向を囲む形状も同様であり、上述した例の他、楕円状，三角形状など、各種の形状としてよい。
(3)スタンドやキャップも、衝撃吸収ボードの保持や連結を良好に行うことができれば、各種の形状・構造としてよい。
(4)本発明は、室内・屋内におけるゴルフ練習に好適であるが、室外での使用を妨げるものではない。
【産業上の利用可能性】
【００２２】
本発明によれば、起立板の表面に衝撃吸収材を設けた構造の衝撃吸収ボードを、スタンド及びキャップによって、ゴルフボールの打撃方向を囲むように複数配置して連結する構造としたので、ゴルフボールの衝撃を良好に吸収するとともに、簡単に組み立てたり、片づけたりすることができ、特に室内や屋内におけるゴルフ練習に好適である。
【符号の説明】
【００２３】
１００，１０２，１０４，１０６：ゴルフ練習具
１１０：衝撃吸収ボード
１１２：起立板
１１４：衝撃吸収材
１２０，１３０：スタンド
１２２，１３２：ベース
１２４，１３４：挟持片
１４０，１５０：キャップ
１４２，１５２：開口
２１０，３１０：衝撃吸収ボード
２５０：キャップ
５００：マット
５０２：ゴルフボール
５０４：クラブ
５１０：カップ
【図１】
2019122701.tif 000003
【図２】
2019122701.tif 000004
【図３】
2019122701.tif 000005